(57)【要約】【課題】透明な側壁の清掃作業を、通行人の邪魔になることなく簡単に行うことのできる清掃具を提供すること。【解決手段】伸縮自在な主杆１１と、この主杆１１の上部に設けたハンドル１２と、主杆１１の、ハンドル１２より下方でかつこれとは反対側に位置する部分に設けたモップ取付部１３と、主杆１１の下部に設けたキャスター１４と、主杆１１の下端に設けられて、通常時はキャスター１４の下面より僅かに上方に位置して、踏み込むことによってステップ面３３上に当接するペダル部１５と、モップ取付部１３に取り付けたモップ２０とにより構成したこと。【選択図】図１
2008247563.tif 000002
【特許請求の範囲】
【請求項１】
伸縮自在な主杆と、この主杆の上部に設けたハンドルと、前記主杆の、前記ハンドルより下方でかつこれとは反対側に位置する部分に設けたモップ取付部と、前記主杆の下部に設けたキャスターと、前記主杆の下端に設けられて、通常時は前記キャスターの下面より僅かに上方に位置して、踏み込むことによってステップ面上に当接するペダル部と、前記モップ取付部に取り付けたモップとにより構成して、
エスカレータのステップ面や動く歩道等の人用コンベア上に立設するとともに、前記モップを、人用コンベアの側壁内面に圧接して、前記側壁内面の清掃を行うようにしたことを特徴とするエスカレータまたは動く歩道の側壁用の清掃具。
【請求項２】
伸縮自在な主杆と、この主杆の上部に設けたハンドルと、前記主杆の、前記ハンドルより上方でかつこれとは反対側に位置する部分に設けた支持杆取付部と、前記主杆の下部に設けたキャスターと、前記主杆の下端に設けられて、通常時は前記キャスターの下面より僅かに上方に位置して、踏み込むことによってステップ面上に当接するペダル部と、前記支持杆取付部に取り付けられて、先端のモップ取付部を前記主杆側に向けて支持する支持杆と、この支持杆に取り付けたモップとにより構成して、
エスカレータのステップ面や動く歩道等の人用コンベア上に立設するとともに、前記モップを、人用コンベアの側壁外面に圧接して、前記側壁外面の清掃を行うようにしたことを特徴とするエスカレータまたは動く歩道の側壁用の清掃具。
【発明の詳細な説明】
【技術分野】
【０００１】
本発明は、モップを使用した清掃具に関し、特に、エスカレータや動く歩道の側壁を清掃するのに適した清掃具に関するものである。
【背景技術】
【０００２】
モップ、あるいはモップを使用した清掃具は、例えば特許文献１〜特許文献３等において種々なものが提案されている。これらの特許文献１〜３に記載されたものは、基本的には、モップに柄を取り付けて、この柄を手で持って清掃作業を行うものである。
【０００３】
このような特許文献１〜３に提案されているような清掃具は、図５あるいは図６に示すような、エスカレータ３０ａや動く歩道３０ｂ等の人用コンベア３１の側壁３２を清掃するのには適していないと考えられる。何故なら、エスカレータ３０ａにしても動く歩道３０ｂにしても、ステップまたは歩道である人用コンベア３１自体が動いているものであり、その上での手作業は非常に体力の居るものだからである。
【０００４】
そこで、特許文献４にて示すような「乗客コンベアの踏面の清掃方法および清掃装置」が提案されたのである。
【特許文献１】特開２００７−０４４０８８号公報
【特許文献２】特開２００７−０２９５８３号公報
【特許文献３】特開２００６−２０４７２４号公報
【特許文献４】特開２０００−１１８９４１号公報、要約、代表図
【発明の開示】
【発明が解決しようとする課題】
【０００５】
特許文献４にて示す「乗客コンベアの踏面の清掃方法および清掃装置」は、「簡易な構成で乗客コンベアの踏面を清掃することができる乗客コンベアの踏面の清掃方法の提供」を目的としてなされたもので、図７にも示すように、例えば、「乗客が乗降する一対の乗降口間を走行し、乗客が乗る複数の踏面を有する乗客コンベアの踏面清掃方法において、前記踏面に当接し、前記踏面をブラッシングする清掃体を、前記一対の乗降口の少なくとも一方に配置し、前記踏面を走行させて、前記踏面に付着する汚れを浮き上がらせ、かつ、浮き上がった汚れを掃除機で吸引するととももに、前記踏面に押圧して前記踏面の汚れを拭き取る払拭体を、前記踏面上に配置し、前記踏面を走行させて、前記踏面の汚れを拭き取ることにより前記踏面の清掃を行うことを特徴とする乗客コンベアの踏面の清掃方法」といった構成を有するものである。
【０００６】
つまり、この特許文献４の清掃方法は、あくまでも清掃対象を「乗客コンベアの踏面」とするものであり、エスカレータ３０ａまたは動く歩道３０ｂの傍らに立設されている側壁３２そのものではない。
【０００７】
最近採用されてきているエスカレータ３０ａや動く歩道３０ｂ等の人用コンベア３１の側壁３２は、これを設置した場所の雰囲気を明るくしたり、例えば病気で倒れている人や不審な荷物を外側から容易に発見できるようにするため等の理由で、「透明」な材料によって形成することが多くなってきている。つまり、人用コンベア３１の側壁３２は、汚れが目立つ透明物となっているのである。
【０００８】
この種のエスカレータ３０ａや動く歩道３０ｂは、大体において不特定多数の人が利用するものであり、その側壁３２は直ぐ汚れるものであるから、清掃は頻繁に行わなくてはならない。このような清掃を行うに当たって、特許文献４の清掃方法では、「側壁」ではなく「踏面（ステップ）」を対象とするものであるため「側壁」の清掃は無理であるし、特許文献１〜３の清掃具では、作業者に大きな負担が掛かって採用しにくいといえる。
【０００９】
また、清掃作業時間帯について考察してみると、例えば特許文献４の清掃方法では、「乗客が乗降する一対の乗降口間を走行」するものであるから、「乗客コンベア」を人が利用している間は、人の通行に邪魔になるため、清掃作業が行えない場合が多いと考えられる。エスカレータ３０ａまたは動く歩道３０ｂの「側壁３２」の清掃についても、特許文献１〜３のような清掃具を使用して清掃を行おうとすれば、作業員が腰を屈めなければならないから、エスカレータ３０ａや動く歩道３０ｂが動いている間は、清掃を行っている作業員が利用者の通行に邪魔になると考えられる。
【００１０】
そこで、本発明者等は、エスカレータや動く歩道が動いている間でも、通行人の邪魔にならない清掃作業ができて、透明な側壁の清掃を簡単に行えるようにするにはどうしたらよいか、について種々検討を重ねてきた結果、本発明を完成したのである。
【００１１】
すなわち、本発明の目的とするところは、透明な側壁の清掃作業を、通行人の邪魔になることなく簡単に行うことのできる清掃具を提供することにある。
【課題を解決するための手段】
【００１２】
以上の課題を解決するために、まず、請求項１に係る発明の採った手段は、後述する最良形態の説明中で使用する符号を付して説明すると、
「伸縮自在な主杆１１と、この主杆１１の上部に設けたハンドル１２と、主杆１１の、ハンドル１２より下方でかつこれとは反対側に位置する部分に設けたモップ取付部１３と、主杆１１の下部に設けたキャスター１４と、主杆１１の下端に設けられて、通常時はキャスター１４の下面より僅かに上方に位置して、踏み込むことによってステップ面３３上に当接するペダル部１５と、モップ取付部１３に取り付けたモップ２０とにより構成して、
エスカレータ３０ａのステップ面３３や動く歩道３０ｂ等の人用コンベア３１上に立設するとともに、モップ２０を、人用コンベア３１の側壁３２内面に圧接して、側壁３２内面の清掃を行うようにしたことを特徴とするエスカレータまたは動く歩道の側壁用の清掃具１０Ａ」
である。
【００１３】
すなわち、この請求項１の清掃具１０Ａは、図１及び図３の右側部分にて示すように、エスカレータ３０ａや動く歩道３０ｂの側壁３２の手前側面（当該清掃具１０Ａが配置される側の面）を清掃するのに用いられるものであり、そのモップ取付部１３に取り付けたモップ２０を側壁３２に押し付けて、その清掃を行うものである。
【００１４】
まず、この清掃具１０Ａは、図１に示すように、その主杆１１の前面に設けてあるモップ取付部１３に、モップ２０を取り付けるのであるが、モップ２０は、図４に示すようなモップ取付具２１に取り付けられる。そして、このモップ取付具２１のモップ柄２２を、上記モップ取付部１３に取り付ければ、図１等に示すように、モップ２０は清掃具１０Ａに取り付けられることになる。なお、これらのモップ２０及びモップ取付具２１は公知のものであり、その詳しい構成や使用方法は省略するが、モップ２０はモップ取付具２１に簡単に取り付けあるいは取り外しでき、かつモップ２０単独での洗浄も行えるものである。
【００１５】
さて、新しいモップ２０を取り付けた清掃具１０Ａは、清掃しなければならないエスカレータ３０ａ又は動く歩道３０ｂの側壁３２の近くまで運ばなければならないが、この清掃具１０Ａは主杆１１の下端にキャスター１４を有しているから、使用者（清掃作業者）は主杆１１の上部のハンドル１２を持って床面上を引いて歩けばよい。換言すれば、モップ２０が洗剤や水に濡れて重くなっていても、それ程体力を使うことなく、この清掃具１０Ａの清掃箇所への運搬を容易に行えるのである。なお、このとき、ペダル部１５は、通常時はキャスター１４の下面より僅かに上方に位置しているから、このペダル部１５が床面に傷を付けることはない。
【００１６】
清掃箇所に運ばれてきた清掃具１０Ａは、図１及び図３の右側に示すように、モップ２０の清掃面が側壁３２の手前面に圧接できるように位置調整した後、作業者がペダル部１５を踏んで、これをエスカレータ３０ａのステップ面３３あるいは動く歩道３０ｂの人用コンベア３１上面に当接させる。これにより、当該清掃具１０Ａは、エスカレータ３０ａまたは動く歩道３０ｂに対して固定される。
【００１７】
この清掃具１０Ａの人用コンベア３１またはステップ面３３上への固定が済めば、作業者は、モップ２０の側壁３２に対する幅や高さを調整して、このモップ２０を側壁３２に押し付けるのである。いま、清掃具１０Ａは、動いている人用コンベア３１またはステップ面３３上に固定されている訳であるから、この人用コンベア３１またはステップ面３３とともに側壁３２に対して移動することになり、結果的に側壁３２の清掃がなされることになる。その間、作業者は、当該清掃具１０Ａを持ったまま人用コンベア３１またはステップ面３３の上に立っていれば良く、脇を早足で通り抜ける人の邪魔になることはない。
【００１８】
ところで、モップ２０の側壁３２に対する幅の調整は、モップ取付部１３におけるモップ取付具２１の取付角度を変えることにより行える。つまり、モップ２０の、図１の（ｂ）に示した高さが側壁３２の高さよりも大きい場合は、このモップ２０の取付角度を少し斜めにすればよいのであり、十分な高さのモップ２０を使用することによって、どのような高さの側壁３２に対しても、その全幅に亘る清掃が行えることになるのである。勿論、モップ２０の側壁３２に対する高さ調整は、主杆１１そのものが外杆１１ｂ内に内杆１１ａを挿入して伸縮可能なものとしてあるから、簡単に行えることはいうまでもない。
【００１９】
従って、この請求項１の清掃具１０Ａは、持ち運びや清掃箇所での固定が簡単に行え、エスカレータ３０ａのステップ面３３や動く歩道３０ｂの人用コンベア３１上にて持ったままでいることにより、側壁３２の清掃が簡単に行えるのであり、この清掃作業時に、作業者や当該清掃具１０Ａが通行者の邪魔になることもないものとなっているのである。
【００２０】
また、上記課題を解決するために、請求項２に係る発明の採った手段は、同様に、
「伸縮自在な主杆１１と、この主杆１１の上部に設けたハンドル１２と、主杆１１の、ハンドル１２より上方でかつこれとは反対側に位置する部分に設けた支持杆取付部１６と、主杆１１の下部に設けたキャスター１４と、主杆１１の下端に設けられて、通常時はキャスター１４の下面より僅かに上方に位置して、踏み込むことによってステップ面３３上に当接するペダル部１５と、支持杆取付部１６に取り付けられて、先端のモップ取付部１３を主杆１１側に向けて支持する支持杆１７と、この支持杆１７に取り付けたモップ２０とにより構成して、
エスカレータ３０ａのステップ面３３や動く歩道３０ｂ等の人用コンベア３１上に立設するとともに、モップ２０を、人用コンベア３１の側壁３２外面に圧接して、側壁３２外面の清掃を行うようにしたことを特徴とするエスカレータまたは動く歩道の側壁用の清掃具１０Ｂ」
である。
【００２１】
すなわち、この請求項２の清掃具１０Ｂは、図２及び図３の左側部分にて示すように、エスカレータ３０ａや動く歩道３０ｂの側壁３２の向こう側面（当該清掃具１０Ｂが配置されるのとは反対側の面）を清掃するのに用いられるものであり、そのモップ取付部１３に取り付けたモップ２０を側壁３２の裏面に引き付けて、人用コンベア３１またはステップ面３３上から側壁３２の反対側面の清掃を行うものである。
【００２２】
この請求項２に係る清掃具１０Ｂの大部分の構成は、上述した請求項１に係る清掃具１０Ａのそれと同様であるが、図２及び図３の左側部分にて示すように、モップ取付部１３を主杆１１側に向けて支持する支持杆１７と、この支持杆１７を支持するとともに主杆１１の、ハンドル１２より上方でかつこれとは反対側に位置する部分に設けた支持杆取付部１６とを備えたことが、請求項１の清掃具１０Ａと異なっている点である。
【００２３】
特に、この清掃具１０Ｂが支持杆１７を有していることによって、図３の左側に示すように、モップ２０を側壁３２の反対側面に配置することができるのであり、作業者がハンドル１２を持って当該清掃具１０Ｂを人用コンベア３１やステップ面３３側に引くことにより、モップ２０の清掃面を側壁３２の反対側面に圧接することができるようになっているのである。
【００２４】
なお、このモップ２０の幅や高さ調整、キャスター１４による移動やペダル部１５を踏むことにより当該清掃具１０Ｂの固定は、上述した請求項１の清掃具１０Ａと同様であるので、その詳細な説明は省略する。
【００２５】
ところで、清掃場所によっては、図５に示すように、柱等の障害物３４の両側に２列の動く歩道３０ｂが配置してあることがあるが、これらの動く歩道３０ｂの柱等の障害物３４側の面についても清掃しなければならない。このような場合であっても、図３の左側に示すように、支持杆１７を曲げて、その幅を側壁３２と柱等の障害物３４との間の寸法以内となるようにしてあるから、人用コンベア３１やステップ面３３に乗ったまま移動するだけの清掃作業であっても、全く問題なく清掃が行える。
【００２６】
勿論、支持杆１７の幅が側壁３２と柱等の障害物３４との間の寸法以内ではない場合には、柱等の障害物３４が来た部分でモップ２０を持ち上げてやり過ごせばよい。このやり過ごしを行うには、主杆１１に一体化してある支持杆取付部１６に対する支持杆１７の位置を変えること（例えばモップ２０全体が側壁３２の上側になるように回動すること）により、簡単に行える。清掃しなかった側壁３２と柱等の障害物３４との間は、後に、手作業での清掃を行えば十分である。
【００２７】
従って、この請求項２に係る清掃具１０Ｂは、透明な側壁３２の、人用コンベア３１やステップ面３３とは反対側面の清掃作業を簡単に行えるものとなっているのである。
【発明の効果】
【００２８】
以上説明した通り、請求項１に係る発明においては、
「伸縮自在な主杆１１と、この主杆１１の上部に設けたハンドル１２と、主杆１１の、ハンドル１２より下方でかつこれとは反対側に位置する部分に設けたモップ取付部１３と、主杆１１の下部に設けたキャスター１４と、主杆１１の下端に設けられて、通常時はキャスター１４の下面より僅かに上方に位置して、踏み込むことによってステップ面３３上に当接するペダル部１５と、モップ取付部１３に取り付けたモップ２０とにより構成して、
エスカレータ３０ａのステップ面３３や動く歩道３０ｂ等の人用コンベア３１上に立設するとともに、モップ２０を、人用コンベア３１の側壁３２内面に圧接して、側壁３２内面の清掃を行うようにしたこと」
にその構成上の特徴があり、これにより、持ち運びや清掃箇所での固定が簡単に行え、エスカレータ３０ａのステップ面３３や動く歩道３０ｂの人用コンベア３１上にて持ったままでいることにより、側壁３２の清掃が簡単に行えるだけでなく、この清掃作業時に、作業者や当該清掃具１０Ａが通行者の邪魔にならないようにすることができる清掃具１０Ａを簡単な構成によって提供することができるのである。
【００２９】
また、請求項２に係る発明においては、
「伸縮自在な主杆１１と、この主杆１１の上部に設けたハンドル１２と、主杆１１の、ハンドル１２より上方でかつこれとは反対側に位置する部分に設けた支持杆取付部１６と、主杆１１の下部に設けたキャスター１４と、主杆１１の下端に設けられて、通常時はキャスター１４の下面より僅かに上方に位置して、踏み込むことによってステップ面３３上に当接するペダル部１５と、支持杆取付部１６に取り付けられて、先端のモップ取付部１３を主杆１１側に向けて支持する支持杆１７と、この支持杆１７に取り付けたモップ２０とにより構成して、
エスカレータ．０ａのステップ面３３や動く歩道３０ｂ等の人用コンベア３１上に立設するとともに、モップ２０を、人用コンベア３１の側壁３２外面に圧接して、側壁３２外面の清掃を行うようにしたこと」
にその特徴があり、これにより、透明な側壁３２の、人用コンベア３１やステップ面３３とは反対側面の清掃作業を簡単に行えるエスカレータまたは動く歩道の側壁用の清掃具１０Ｂを提供することができるのである。
【発明を実施するための最良の形態】
【００３０】
次に、上記のように構成した各請求項に係る発明を図面に示した最良の形態について説明すると、図１には請求項１に係る清掃具１０Ａが、また図２には請求項２に係る清掃具１０Ｂがそれぞれ示してある。これらの清掃具１０Ａ及び清掃具１０Ｂは、図３の右側部分及び左側部分で示したようにして使用されるものであり、使用対象は、エスカレータ３０ａや動く歩道３０ｂの側壁３２である。
【００３１】
近年のエスカレータ３０ａや動く歩道３０ｂは、図３〜図６に示したように、非常にシンプルな形状のものになってきており、特にその両側に立設されている側壁３２は、緊急時に中まで見通せたり、不審物の発見を容易にするため等の理由によって、一枚板のアクリル板あるいはガラス板によって透明なものとしてある。逆に言えば、エスカレータ３０ａや動く歩道３０ｂの側壁３２は、汚れの目立つものになっているのであり、清掃を頻繁に行わなければならないものになっている。
【００３２】
さて、図１に示した請求項１に係る清掃具１０Ａであるが、この清掃具１０Ａは、図１の（ａ）及び（ｂ）に示したように、一本の主杆１１を有している。この主杆１１は、内杆１１ａを外杆１１ｂ内に嵌挿するとともに、内杆１１ａ及び外杆１１ｂに設けた調整穴１１ｃ内にピン等を通すことにより伸縮位置での固定が行えるようにしたものであり、その高さ調整を自在に行えるようにしたものである。なお、この主杆１１の上端は、作業者が手で持つものであり、その際の滑り止めを行うためのグリップ１１ｄが一体的に設けてある。
【００３３】
この主杆１１の上部には、図１の（ａ）にて示したように、ハンドル１２が設けてある。このハンドル１２は、主杆１１の位置や角度を変えたり、当該清掃具１０Ａを運搬したりする場合に、作業者が操作するものである。なお、このハンドル１２の先端は、作業者が手で持つものであり、その際の滑り止めを行うためのグリップ１２ａが一体的に設けてある。
【００３４】
また、主杆１１の、ハンドル１２より下方でかつこれとは反対側に位置する部分には、図１に示したように、モップ取付部１３が設けてある。このモップ取付部１３は、モップ取付具２１側のモップ柄２２を差し込んで、このモップ柄２２をある程度の伸縮自在な状態に支持するもので、モップ２０を脱着自在にするものである。勿論、このモップ取付部１３の長さや大きさは自由に設定できるものであり、人用コンベア３１またはステップ面３３と側壁３２との間の距離が大きいことが想定される場合には、十分な長さのモップ取付部１３とすればよい。
【００３５】
そして、主杆１１の下端部には、図１に示したように、キャスター１４とペダル部１５とが設けてある。キャスター１４は、図１の（ａ）及び（ｂ）に示したように、主杆１１の下端に一体的に取り付けた一般的なものであり、上述したモップ取付部１３のモップ２０を取り付けた場合であっても、当該清掃具１０Ａ全体の移動を容易に行えるようにするものである。また、このキャスター１４は、次に述べるペダル部１５とは干渉しない位置に設けてあることは言うまでもない。
【００３６】
主杆１１の下端であってキャスター１４に近接する部分には、ペダル部１５が上下動可能に設けてある。つまり、このペダル部１５は、通常時はキャスター１４の下面より僅かに上方に位置して、踏み込むことによって人用コンベア３１またはステップ面３３上に当接するようにしたものであり、このペダル部１５を主杆１１に対して支持する部分には、図示しない引っ張りスプリングが介装してある。
【００３７】
モップ２０は、多数の繊維紐を基布に植え込んだものであり、図４に示したようなモップ取付具２１によって清掃具１０Ａ側に取り付けられるものである。モップ取付具２１は、それ自体が中央で折り畳みできるようにしてある一般的なものであり、その折曲軸上にモップ柄２２を設けたものである。このモップ柄２２は、前述した主杆１１側のモップ取付部１３差し込まれることになるものである。
【００３８】
図２には、請求項２に係る清掃具１０Ｂが示してある。この請求項２の清掃具１０Ｂと、上記請求項１の清掃具１０Ａと異なる点は、図２及び図３の左側部分にて示したように、モップ取付部１３を主杆１１側に向けて支持する支持杆１７と、この支持杆１７を支持するとともに主杆１１の、ハンドル１２より上方でかつこれとは反対側に位置する部分に設けた支持杆取付部１６とを備えたことである。なお、この請求項２に係る清掃具１０Ｂの、上述した請求項１に係る清掃具１０Ａと共通する部材については、図２中に図１中で使用したのと同じ符号を付して、その説明は省略する。
【００３９】
この請求項２の清掃具１０Ｂにおいては、これが支持杆１７を有していることによって、図３の左側に示したように、モップ２０を側壁３２の反対側面に配置することができるのである。すなわち、作業者がハンドル１２を持って当該清掃具１０Ｂを人用コンベア３１やステップ面３３側に引くことにより、当該請求項２の清掃具１０Ｂは、モップ２０の清掃面を側壁３２の反対側面に圧接することができるのである。
【００４０】
勿論、このモップ２０の幅や高さ調整、キャスター１４による移動やペダル部１５を踏むことにより当該清掃具１０Ｂの固定は、上述した請求項１の清掃具１０Ａと同様である。
【産業上の利用可能性】
【００４１】
本発明に係る清掃具１０Ａまたは１０Ｂは、透明な側壁３２の清掃作業を、通行人の邪魔になることなく簡単に行うことのできるものであるから、メンテナンス事業者の人員確保に貢献できて、メンテナンス事業を発展せることができる。
【００４２】
また、本発明に係る清掃具１０Ａまたは１０Ｂによってメンテナンス作業がなされる空港や大型店舗等の各種施設については、その維持を安価かつ確実に行うことができて、これらの大型施設に人を呼び込むことが多いにでき、これらの大型施設をより一層発展させ得るのである。
【図面の簡単な説明】
【００４３】
【図１】請求項１に係る清掃具を示すもので、（ａ）は側面図、（ｂ）はモップ側から見た正面図である。
【図２】請求項２に係る清掃具の側面図である。
【図３】請求項１及び２に係る清掃具によって側壁の内外両側を清掃している様子を示した側壁の断面図である。
【図４】本発明に係る清掃具において使用されているモップのためのモップ取付具２１の斜視図である。
【図５】２本の動く歩道及びこれらの間の柱等の障害物を示す斜視図である。
【図６】エスカレータ及びそのステップ面を示す斜視図である。
【図７】従来の清掃具を示すエスカレータの側面図である。
【符号の説明】
【００４４】
１０Ａ  清掃具
１０Ｂ  清掃具
１１    主杆
１１ａ  内杆
１１ｂ  外杆
１１ｃ  調整穴
１１ｄ  グリップ
１２    ハンドル
１２ａ  グリップ
１３    モップ取付部
１４    キャスター
１５    ペダル部
１６    支持杆取付部
１７    支持杆
２０    モップ
２１    モップ取付具
２２    モップ柄
３０ａ  エスカレータ
３０ｂ  動く歩道
３１    人用コンベア
３２    側壁
３３    ステップ面
３４    柱等の障害物
【図１】
2008247563.tif 000003
【図２】
2008247563.tif 000004
【図３】
2008247563.tif 000005
【図４】
2008247563.tif 000006
【図５】
2008247563.tif 000007
【図６】
2008247563.tif 000008
【図７】
2008247563.tif 000009